(57)【要約】【課題】  高価なリアルタイムクロックＩＣを使用せず、製造コストが安く、高精度に時刻表示を行うことができるようにする。【解決手段】  標準時情報信号が番組に多重されて放送されるデジタル放送を受信手段１０を用いて受信する主制御部１３と、この主制御部１３が受信した標準時情報を保持する標準時情報保持手段２３とを設けることにより、実時刻時計である高価なリアルタイムクロックを不要とし、製造コストを削減できるようにする。【選択図】        図１
2006071569.tif 000002
【特許請求の範囲】
【請求項１】
標準時情報信号が番組に多重されて放送されるデジタル放送を受信手段を用いて受信する主制御部と、
該主制御部が受信した標準時情報を保持する標準時情報保持手段と、
を備えることを特徴とするデジタル放送受信機の時刻保持装置。
【請求項２】
前記標準時情報保持手段は、前記主制御部がスタンバイ中でも電源の供給を受ける副制御部の動作クロックで生成される内部の時刻カウンタからなることを特徴とする請求項１記載のデジタル放送受信機の時刻保持装置。
【請求項３】
前記副制御部内に、前記主制御部から受け取った標準時情報と前記時刻カウンタとの差を求め、それを実時刻の補正量Ｔｅとして該時刻カウンタに加算する時刻補正手段を設けたことを特徴とする請求項２記載のデジタル放送受信機の時刻保持装置。
【請求項４】
前記副制御部内に、前記補正量Ｔｅを記憶する記憶手段を設け、前記主制御部がスタンバイ状態にあるときには、前記記憶手段に記憶してある補正量Ｔｅを用いて前記時刻カウンタを補正することを特徴とする請求項３記載のデジタル放送受信機の時刻保持装置。
【発明の詳細な説明】
【技術分野】
【０００１】
本発明は、デジタル放送の受信機に内蔵される時刻保持手段を実時刻時計なしで実現し、高精度の時刻情報を保持し得る時刻保持装置に関する。
【背景技術】
【０００２】
従来のデジタル放送受信機には、時刻保持のために実時刻時計が内蔵されている。
【０００３】
また、デジタル放送では、現在の正確な時刻を秒精度で表示する標準時情報信号（ＴＯＴ：Time Offset Table ）といったセクション形式の情報が、番組に多重されて放送される。こうした標準時情報を用いて現在時刻を秒精度で較正する方法が考えられている（例えば特許文献１参照）。
【０００４】
【特許文献１】特開２００１−０９１６８０号公報（第１１頁、図１）
【発明の開示】
【発明が解決しようとする課題】
【０００５】
このように、従来のデジタル放送受信機には実時刻時計が内蔵され、この実時刻時計として一般にリアルタイムクロック（ＲＴＣ：Real-Time Clock ）と呼ばれる高価なＩＣが用いられている。このため、製造コストが高くなるという難点があった。
【０００６】
また、前記のように実時刻を表示器に表示させるようにしたデジタル放送受信機では、デジタル放送を受信していないスタンバイ中は、消費電力を削減するために、主制御部すなわち受信に関わる部品への電源供給を止め、一方、表示部の表示やキー入力、リモコンの受信処理を行う副制御部は動作させておき、副制御部そのものにリアルタイムクロックを持たせ、時計表示（実時刻表示）を行っている。しかしながら、主制御部がスタンバイ中は、標準時情報を受けられないため、リアルタイムクロックの時刻を較正することができず、実時刻が標準時と一致しなくなる問題がある。
【０００７】
本発明の技術的課題は、高価なリアルタイムクロックＩＣを使用せず、製造コストが安く、高精度に時刻表示を行うことができるようにすることにある。
【課題を解決するための手段】
【０００８】
本発明のデジタル放送受信機の時刻保持装置は、標準時情報信号が番組に多重されて放送されるデジタル放送を受信手段を用いて受信する主制御部と、この主制御部が受信した標準時情報を保持する標準時情報保持手段と、を備えるものである。
【発明の効果】
【０００９】
本発明のデジタル放送受信機の時刻保持装置においては、主制御部が受信した標準時情報を標準時情報保持手段にて保持することができるので、時計である高価なリアルタイムクロックが不要となり、製造コストを削減することができる。
【発明を実施するための最良の形態】
【００１０】
実施の形態１．
以下、図示実施形態により本発明を説明する。
図１は本発明の実施の形態１に係るデジタル放送受信機の時刻保持装置の構成を示すブロック図である。
【００１１】
本実施形態のデジタル放送受信機の時刻保持装置は、標準時情報信号（ＴＯＴ）が番組に多重されて放送されるデジタル放送の信号が受信手段すなわち受信アンテナ１０にて受信される。そして、この受信アンテナ１０にて受信されたデジタル放送の信号は、復調部１１にて復調・エラー訂正が行われ、ＭＰＥＧ−２のトランスポートストリームとして復号部１２へ送られる。トランスポートストリームは、ここでビデオ信号、オーディオ信号、実時刻情報信号（ＴＯＴ）、その他に分離され、主制御部１３から副制御部２０へ送られるようになっている。なお、ここではビデオ信号、オーディオ信号の各処理部は図示していない。
【００１２】
副制御部２０は、主制御部１３のスタンバイ中でも電源が供給され、時刻表示部２１の表示やキー入力、リモコンの受信処理を行なえるようになっている。また副制御部２０には、主制御部１３が受信した標準時情報を保持する標準時情報保持手段、つまり水晶発振子２２の動作クロックにより動作する時刻カウンタ２３が内蔵されているとともに、主制御部１３から受け取った標準時情報と時刻カウンタ２３との差を求め、それを実時刻の補正量Ｔｅとして時刻カウンタ２３に加算し、実時刻を補正する時刻補正手段２４も内蔵されている。
【００１３】
このように、本実施形態のデジタル放送受信機の時刻保持装置においては、主制御部１３が受信した標準時情報を標準時情報保持手段にて保持することができるので、実時刻時計である高価なリアルタイムクロックＩＣを使用する必要が無くなって、製造コストを削減することができる。
【００１４】
また、標準時情報保持手段として、主制御部１３のスタンバイ中でも電源の供給を受ける副制御部２０に内蔵されて動作クロックにより動作する時刻カウンタ２３を用いているので、主制御部１３のスタンバイ中に、標準時情報を受け取るためだけに主制御部１３の電源を入れる必要はなくなって、余計な消費電力を費やすことがない。
【００１５】
また、副制御部２０内に設けた時刻補正手段２４によって、主制御部１３から受け取った標準時情報と時刻カウンタ２３との差を求め、それを実時刻の補正量Ｔｅとして時刻カウンタ２３に加算し、実時刻を補正するようにしているので、副制御部２０の時刻カウンタ２３により保持した時刻に誤差が生じても、主制御部１３に電源を入れている限り、標準時情報と実時刻とを常に比較でき、その差を補正することができる。このため、高精度な実時刻を保持することができて、時刻表示部２１に正確な時刻を表示することができる。
【００１６】
ところで、主制御部１３の電源が切られた場合、標準時情報信号（ＴＯＴ）を受信できず、標準時情報と実時刻との比較ができないが、主制御部１３は電源が入れられたらすぐに標準時情報信号（ＴＯＴ）を受信するため、主制御部１３の電源オンと同時に副制御部２０によって、時刻カウンタ２３の値を初期化するように設定することで、高精度な実時刻の保持が可能となり、時刻表示部２１に正確な時刻を表示することができる。
【００１７】
実施の形態２．
図２は本発明の実施の形態２に係るデジタル放送受信機の時刻保持装置の構成を示すブロック図、図３はその時刻補正動作を示すタイムミングチャートであり、太い折れ線は時刻カウンタの実時刻と標準時との誤差の大きさを時系列的に示すものである。なお、図２中、前述の実施の形態１と同一部分には同一符号を付し、その説明は省略する。
【００１８】
本実施形態のデジタル放送受信機の時刻保持装置は、副制御部２０内に、時刻補正手段２４で求めた標準時情報と時刻カウンタ２３との差である実時刻の補正量Ｔｅを記憶する記憶手段すなわちメモリ２５を設け、図３のように主制御部１３が電源オン状態にあるときは、前述の実施の形態１と同様に標準時情報信号（ＴＯＴ）に基づく補正、つまり標準時情報と時刻カウンタ２３との差に基づく補正を行い、また主制御部１３がスタンバイ状態にあるときには、メモリ２５に記憶してある補正量Ｔｅを用いて時刻カウンタ２３を補正するようにした点に特徴を有し、それ以外の構成および動作は前述の実施の形態１と同様である。
【００１９】
本実施形態のデジタル放送受信機の時刻保持装置において、デジタル放送を受信していないスタンバイモードでは、消費電力を削減するためにデジタル放送の受信に必要な復調部１１、復号部１２、および主制御部１３の電源供給を止め、時刻表示部２１の表示やキー入力、リモコンの受信処理を行う副制御部２０を動作させておく。
【００２０】
この場合、副制御部２０の時刻カウンタ２３にて保持する時刻は、副制御部２０の動作クロックを生成する水晶発振子２２の精度に依存することになるが、本実施形態では主制御部１３の電源オン状態下において求めた補正量Ｔｅをメモリ２５に記憶しており、主制御部１３がスタンバイ状態となったときには、メモリ２５より実時刻の補正量Ｔｅを読み込んで、この補正量Ｔｅを用いて時刻カウンタ２３を補正するので、主制御部１３がスタンバイ状態となったときでも、標準時情報と実時刻との差を補正することができる。このため、主制御部１３のスタンバイモード中にも高精度な実時刻を保持することができて、時刻表示部２１に正確な時刻を表示することができる。
【図面の簡単な説明】
【００２１】
【図１】本発明の実施の形態１に係るデジタル放送受信機の時刻保持装置の構成を示すブロック図である。
【図２】本発明の実施の形態２に係るデジタル放送受信機の時刻保持装置の構成を示すブロック図である。
【図３】実施の形態２に係るデジタル放送受信機の時刻保持装置の時刻補正動作を示すタイムミングチャートである。
【符号の説明】
【００２２】
１０  受信アンテナ（受信手段）、１３  主制御部、２０  副制御部、２３  時刻カウンタ（標準時情報保持手段）、２４  時刻補正手段、２５  メモリ（記憶手段）。
【図１】
2006071569.tif 000003
【図２】
2006071569.tif 000004
【図３】
2006071569.tif 000005